(57)【特許請求の範囲】
【請求項１】
携帯電話機との間でハンズフリー通話を実現するためのプロトコルを接続するハンズフリー接続手段と、
携帯電話機から発信した発信電話番号の履歴を表す発信履歴データを当該携帯電話機から取得する発信履歴データ取得手段及び携帯電話機に着信した着信電話番号の履歴を表す着信履歴データを当該携帯電話機から取得する着信履歴データ取得手段のうち少なくともいずれかと、
ユーザが操作手段により所定操作を行ったことを条件として、携帯電話機から前記発信履歴データ取得手段により取得した発信履歴データの電話番号または前記着信履歴データ取得手段により取得した着信履歴データの電話番号を発信電話番号とする発信制御を前記ハンズフリー接続手段が携帯電話機との間でハンズフリー通話を実現するためのプロトコルを接続している状態で行う制御手段とを備えた車載ハンズフリー装置であって、
携帯電話機に登録されている登録情報と１つ以上の電話番号との対応を表す電話帳データの電話番号を当該携帯電話機から取得する電話帳データ取得手段を備え、
前記制御手段は、少なくとも携帯電話機と車載ハンズフリー装置との間の近距離通信が可能になったことにより、当該携帯電話機から発信履歴データまたは着信履歴データを取得する条件が成立した旨を判定すると、記憶手段の発信履歴データ記憶領域または着信履歴データ記憶領域に記憶可能な件数と携帯電話機に記憶されている発信履歴データまたは着信履歴データの件数とに基づいて、携帯電話機に記憶されている発信履歴データまたは着信履歴データの全てまたは一部を当該携帯電話機から前記電話帳データ取得手段により取得させ、その取得した発信履歴データを前記記憶手段の発信履歴データ記憶領域に記憶させるかまたは着信履歴データを前記記憶手段の着信履歴データ記憶領域に記憶させ、前記記憶手段の発信履歴データまたは着信履歴データを更新し、ユーザが発信履歴データの電話番号または着信履歴データの電話番号を発信電話番号とする発信操作を前記操作手段により行った旨を判定すると、携帯電話機から前記発信履歴データ取得手段により取得した発信履歴データの電話番号または前記着信履歴データ取得手段により取得した着信履歴データの電話番号を発信電話番号とする発信制御を行い、発信先が応答しなかった場合に、当該携帯電話機の電話帳データに発信電話番号とした電話番号と同一の登録情報で別の電話番号が登録されているときには、その登録されている別の電話番号を当該携帯電話機から前記電話帳データ取得手段により取得させ、その取得した別の電話番号を発信電話番号とする発信制御を行うことを特徴とする車載ハンズフリー装置。
【請求項２】
請求項１に記載した車載ハンズフリー装置において、
前記制御手段は、前記記憶手段の発信履歴データ記憶領域または着信履歴データ記憶領域に記憶可能な件数が携帯電話機に記憶されている発信履歴データまたは着信履歴データの件数よりも小さければ、携帯電話機に記憶されている発信履歴データまたは着信履歴データの一部を当該携帯電話機から前記電話帳データ取得手段により取得させ、その取得した発信履歴データを前記記憶手段の発信履歴データ記憶領域に記憶させるかまたは着信履歴データを前記記憶手段の着信履歴データ記憶領域に記憶させ、前記記憶手段の発信履歴データまたは着信履歴データを更新することを特徴とする車載ハンズフリー装置。
【請求項３】
請求項２に記載した車載ハンズフリー装置において、
前記制御手段は、前記記憶手段の発信履歴データ記憶領域または着信履歴データ記憶領域に記憶可能な件数が携帯電話機に記憶されている発信履歴データまたは着信履歴データの件数よりも小さければ、携帯電話機に記憶されている発信履歴データまたは着信履歴データの一部である発信日時が新しい発信履歴データまたは着信日時が新しい着信履歴データを当該携帯電話機から前記電話帳データ取得手段により取得させ、その取得した発信履歴データを前記記憶手段の発信履歴データ記憶領域に記憶させるかまたは着信履歴データを前記記憶手段の着信履歴データ記憶領域に記憶させ、前記記憶手段の発信履歴データまたは着信履歴データを更新することを特徴とする車載ハンズフリー装置。
【請求項４】
請求項１ないし３のいずれかに記載した車載ハンズフリー装置において、
前記制御手段は、携帯電話機から前記電話帳データ取得手段により取得した別の電話番号を表示手段に表示させることを特徴とする車載ハンズフリー装置。
【請求項５】
請求項１ないし４のいずれかに記載した車載ハンズフリー装置において、
前記制御手段は、ユーザが前記操作手段により別の所定操作を行ったことを条件とすることなく自動で、携帯電話機から前記電話帳データ取得手段により取得した別の電話番号を発信電話番号とする発信制御を行うことを特徴とする車載ハンズフリー装置。
【請求項６】
請求項１ないし４のいずれかに記載した車載ハンズフリー装置において、
前記制御手段は、ユーザが前記操作手段により別の所定操作を行ったことを条件として、携帯電話機から前記電話帳データ取得手段により取得した別の電話番号を発信電話番号とする発信制御を行うことを特徴とする車載ハンズフリー装置。
【請求項７】
請求項１ないし６のいずれかに記載した車載ハンズフリー装置において、
前記制御手段は、携帯電話機の電話帳データに発信電話番号とした電話番号と同一の登録情報で別の電話番号が複数登録されているときには、それら複数の別の電話番号のうち登録順位が上位の別の電話番号を選択して前記電話帳データ取得手段により取得させることを特徴とする車載ハンズフリー装置。
【請求項８】
請求項１ないし６のいずれかに記載した車載ハンズフリー装置において、
現在時刻を取得する現在時刻取得手段を備え、
前記制御手段は、携帯電話機の電話帳データに発信電話番号とした電話番号と同一の登録情報で別の電話番号が複数登録されているときには、それら複数の別の電話番号のうち前記現在時刻取得手段が取得した現在時刻に対応する別の電話番号を選択して前記電話帳データ取得手段により取得させることを特徴とする車載ハンズフリー装置。
【発明の詳細な説明】
【技術分野】
【０００１】
本発明は、携帯電話機から取得した発信履歴データの電話番号または着信履歴データの電話番号を発信電話番号とする発信制御を当該携帯電話機との間でハンズフリー通話を実現するためのプロトコルを接続している状態で行うように構成されてなる車載ハンズフリー装置に関する。
【背景技術】
【０００２】
例えばユーザがＢｌｕｅｔｏｏｔｈ（登録商標）通信機能付き携帯電話機（以下、携帯電話機と称する）を携帯してＢｌｕｅｔｏｏｔｈ通信機能付き車載ハンズフリー装置（以下、車載ハンズフリー装置と称する）を搭載している車両に乗込み、携帯電話機と車載ハンズフリー装置とがＢｌｕｅｔｏｏｔｈ通信圏内になると、両者の間でハンズフリー通話を規定しているＨＦＰ（Hands Free Profile）を接続することにより、車載ハンズフリー装置による携帯電話機を利用したハンズフリー通話を実現することができる（例えば特許文献１参照）。
【特許文献１】特開２００２−１９３０４６号公報
【発明の開示】
【発明が解決しようとする課題】
【０００３】
ところで、ユーザにおいては、車載ハンズフリー装置で発信操作を行う場合に、携帯電話機から転送された発信履歴データの電話番号または着信履歴データの電話番号（例えば発信先が所有する携帯電話機の電話番号など）を発信電話番号として発信操作を行う場合が多々ある。その場合、発信先が応答すれば、それ以降に通話することが可能となるが、一方、発信先が応答しなければ、発信操作を一旦終了し、携帯電話機に登録されている電話帳データの検索操作を行い、その発信先が応答しなかった電話番号とは異なる別の電話番号（例えば発信先の自宅の電話番号など）を選択し、その選択した別の電話番号を発信電話番号として新たな発信操作を行う必要があり、その操作が煩わしいという問題があった。
【０００４】
これに対して、携帯電話機と車載ハンズフリー装置との両者が電話帳データの転送を規定しているＰＢＡＰ（Phone Book Access Profile）に対応している機種であれば、両者の間でＰＢＡＰを接続することにより、携帯電話機に登録されている電話帳データを予め携帯電話機から車載ハンズフリー装置に転送させておくことが可能であるが、電話帳データはデータ量が極めて多い（登録件数が多い）のが一般的であるという事情から、携帯電話機から車載ハンズフリー装置に電話帳データを転送させるのに多大な時間を要するという問題があり、また、携帯電話機から転送された多大なデータ量を記憶させておく記憶領域が車載ハンズフリー装置に必要になるという問題もある。
【０００５】
本発明は、上記した事情に鑑みてなされたものであり、その目的は、携帯電話機からの多大なデータ量の電話帳データの転送を必要とすることなく、発信操作を行うときの操作性を高めることができる車載ハンズフリー装置を提供することにある。
【課題を解決するための手段】
【０００６】
請求項１に記載した発明によれば、制御手段は、少なくとも携帯電話機と車載ハンズフリー装置との間の近距離通信が可能になったことにより、当該携帯電話機から発信履歴データまたは着信履歴データを取得する条件が成立した旨を判定すると、記憶手段の発信履歴データ記憶領域または着信履歴データ記憶領域に記憶可能な件数と携帯電話機に記憶されている発信履歴データまたは着信履歴データの件数とに基づいて、携帯電話機に記憶されている発信履歴データまたは着信履歴データの全てまたは一部を当該携帯電話機から電話帳データ取得手段により取得させ、その取得した発信履歴データを記憶手段の発信履歴データ記憶領域に記憶させるかまたは着信履歴データを記憶手段の着信履歴データ記憶領域に記憶させ、記憶手段の発信履歴データまたは着信履歴データを更新する。また、制御手段は、ユーザが操作手段により所定操作を行ったことを条件として、携帯電話機から発信履歴データ取得手段により取得した発信履歴データの電話番号または着信履歴データ取得手段により取得した着信履歴データの電話番号を発信電話番号とする発信制御をハンズフリー接続手段が携帯電話機との間でハンズフリー通話を実現するためのプロトコルを接続している状態で行う。ここで、制御手段は、ユーザが発信履歴データの電話番号または着信履歴データの電話番号を発信電話番号とする発信操作を操作手段により行った旨を判定すると、携帯電話機から発信履歴データ取得手段により取得した発信履歴データの電話番号または着信履歴データ取得手段により取得した着信履歴データの電話番号を発信電話番号とする発信制御を行い、発信先が応答しなければ、当該携帯電話機の電話帳データに発信電話番号とした電話番号と同一の登録情報で別の電話番号が登録されていれば、その登録されている別の電話番号を当該携帯電話機から電話帳データ取得手段により取得させ、その取得した別の電話番号を発信電話番号とする発信制御を行う。
【０００７】
これにより、携帯電話機の発信履歴データの電話番号または着信履歴データの電話番号（例えば発信先が所有する携帯電話機の電話番号）を発信電話番号とする発信制御を行ったが、発信先が応答しなければ、携帯電話機の電話帳データに発信電話番号とした電話番号と同一の登録情報で別の電話番号（例えば発信先の自宅の電話番号など）が登録されていれば、その登録されている別の電話番号を携帯電話機から取得し、その取得した別の電話番号を発信電話番号とする発信制御を行うことになるので、携帯電話機からの多大な電話帳データの転送を必要とすることなく、ユーザが携帯電話機に登録されている電話帳データの検索操作を行う必要なく、発信操作を行うときの操作性を高めることができる。
【０００８】
請求項４に記載した発明によれば、制御手段は、携帯電話機から電話帳データ取得手段により取得した別の電話番号を表示手段に表示させる。これにより、携帯電話機から取得した別の電話番号をユーザに認識させることができる。
【０００９】
請求項５に記載した発明によれば、制御手段は、ユーザが操作手段により別の所定操作を行ったことを条件とすることなく自動で、携帯電話機から電話帳データ取得手段により取得した別の電話番号を発信電話番号とする発信制御を行う。これにより、携帯電話機から取得した別の電話番号を発信電話番号とする発信制御をユーザが何ら操作を行うことなく速やかに行うことができる。
【００１０】
請求項６に記載した発明によれば、制御手段は、ユーザが操作手段により別の所定操作を行ったことを条件として、携帯電話機から電話帳データ取得手段により取得した別の電話番号を発信電話番号とする発信制御を行う。これにより、携帯電話機から取得した別の電話番号を発信電話番号とする発信制御を行うか否かをユーザに選択させることができる。
【００１１】
請求項７に記載した発明によれば、制御手段は、携帯電話機の電話帳データに発信電話番号とした電話番号と同一の登録情報で別の電話番号が複数登録されていれば、それら複数の別の電話番号のうち登録順位が上位の別の電話番号を選択して電話帳データ取得手段により取得させる。これにより、登録順位が上位の別の電話番号を発信電話番号とする発信制御を優先して行うことができる。
【００１２】
請求項８に記載した発明によれば、制御手段は、携帯電話機の電話帳データに発信電話番号とした電話番号と同一の登録情報で別の電話番号が複数登録されていれば、それら複数の別の電話番号のうち現在時刻取得手段が取得した現在時刻に対応する別の電話番号を選択して電話帳データ取得手段により取得させる。これにより、現在時刻に対応する別の電話番号を発信電話番号とする発信制御を優先して行うことができる。
【発明を実施するための最良の形態】
【００１３】
以下、本発明を、Ｂｌｕｅｔｏｏｔｈ通信機能付き車載ハンズフリー装置（以下、車載ハンズフリー装置と称する）に適用した一実施形態について、図面を参照して説明する。図１は、車載ハンズフリー装置にあって発明の要部を機能ブロック図として示している。車載ハンズフリー装置１は、制御部２（本発明でいう制御手段、現在時刻取得手段）、Ｂｌｕｅｔｏｏｔｈ通信部３（本発明でいうハンズフリー接続手段、発信履歴データ取得手段、着信履歴データ取得手段、電話帳データ取得手段）、操作部４（本発明でいう操作手段）、表示部５（本発明でいう表示手段）、音声制御部６及び記憶部７を備えて構成されている。
【００１４】
制御部２は、車載ハンズフリー装置１の通信動作やデータ管理動作や現在時刻管理などの動作全般を制御する。Ｂｌｕｅｔｏｏｔｈ通信部３は、Ｂｌｕｅｔｏｏｔｈ通信機能付き携帯電話機（以下、携帯電話機と称する）１１がＢｌｕｅｔｏｏｔｈ通信圏内に存在していれば、携帯電話機１１との間でハンズフリー通話を規定しているＨＦＰ（Hands Free Profile）を接続することにより、車載ハンズフリー装置１による携帯電話機１１を利用したハンズフリー通話を実現する。
【００１５】
操作部４は、ユーザが操作可能な幾つかのキーを有して構成され、ユーザが操作した操作内容を表す操作信号を制御部２に出力する。表示部５は、例えば液晶ディスプレイから構成され、制御部２から表示指令信号を入力すると、その入力した表示指令信号に基づいて表示画面を表示する。音声制御部６は、マイクロホン８から入力した入力音声及びスピーカ９から出力する出力音声を音声処理する。尚、マイクロホン８は例えばステアリングの脇などのユーザが発した音声を集音し易い部位に設置され、スピーカ９は例えば車載オーディオ機器のスピーカと兼用されて設置されている。
【００１６】
記憶部７は、発信履歴データを記憶するための発信履歴データ記憶領域及び着信履歴データを記憶するための着信履歴データ記憶領域を有しており、制御部２は、携帯電話機１１からＢｌｕｅｔｏｏｔｈ通信部３に転送された発信履歴データを記憶部７の発信履歴データ記憶領域に記憶させ、携帯電話機１１からＢｌｕｅｔｏｏｔｈ通信部３に転送された着信履歴データを記憶部７の着信履歴データ記憶領域に記憶させる。尚、上記したハンズフリー装置１は、ＡＣＣスイッチのオンオフに連動して起動・停止するように構成されている。
【００１７】
携帯電話機１１は、自機から携帯電話網を通じて発信先に発信した発信電話番号の履歴を表す発信履歴データを所定件数だけ記憶可能に構成され、発信先から携帯電話網を通じて自機に着信した着信電話番号の履歴を表す着信履歴データを所定件数だけ記憶可能に構成され、ユーザが携帯電話機１１を操作して登録した電話帳データを所定件数だけ記憶可能に構成されている。
【００１８】
携帯電話機１１に記憶される発信履歴データは、図２（ａ）に示すように、発信日時と発信電話番号との対応を表す所定件数（図２（ａ）では例えば２０件）からなるデータであり、所定件数を超えて新たな発信が発生したときには所定件数の発信履歴のうちその時点で記憶されている発信日時が最古の発信履歴が消去されて新たな発信に関する発信履歴が追加記憶されることで逐一更新される。携帯電話機１１に記憶される着信履歴データは、図２（ｂ）に示すように、着信日時と着信電話番号との対応を表す所定件数（図２（ｂ）では例えば２０件）からなるデータであり、上記した発信履歴データと同様にして、所定件数を超えて新たな着信が発生したときには所定件数の着信履歴のうちその時点で記憶されている着信日時が最古の着信履歴が消去されて新たな着信に関する着信履歴が追加記憶されることで逐一更新される。携帯電話機１１に登録される電話帳データは、図３に示すように、登録名（本発明でいう登録情報）とカテゴリ（電話機の種別や設置場所による分類）と電話番号またはメールアドレスとの対応を表す所定件数（図３では例えば５００件）からなるデータであり、１つの登録名に対して複数のカテゴリと電話番号またはメールアドレスとが登録されることが可能である。
【００１９】
次に、上記した構成の作用について、図４及び図５を参照して説明する。図４は、車載ハンズフリー装置１の制御部２が行う処理をフローチャートとして示している。
制御部２は、携帯電話機１１から発信履歴データ及び着信履歴データを取得する条件が成立したか否かを判定していると共に（ステップＳ１）、ユーザが発信履歴データの電話番号または着信履歴データの電話番号を発信電話番号とする発信操作（本発明でいう所定操作）を操作部４により行ったか否かを判定している（ステップＳ２）。
【００２０】
ここで、制御部２は、携帯電話機１１から発信履歴データ及び着信履歴データを取得する条件が成立した旨を判定すると（ステップＳ１にて「ＹＥＳ」）、発着信履歴データ要求コマンドをＢｌｕｅｔｏｏｔｈ通信部３から携帯電話機１１に送信させ（ステップＳ３）、携帯電話機１１から発信履歴データ及び着信履歴データをＢｌｕｅｔｏｏｔｈ通信部３により受信する旨を待機する（ステップＳ４）。携帯電話機１１は、車載ハンズフリー装置１から発着信履歴データ要求コマンドを受信すると、その時点で記憶している発信履歴データ及び着信履歴データを車載ハンズフリー装置１に送信する。
【００２１】
そして、制御部２は、携帯電話機１１から発信履歴データ及び着信履歴データをＢｌｕｅｔｏｏｔｈ通信部３により受信した旨を判定すると（ステップＳ４にて「ＹＥＳ」）、その受信した発信履歴データを記憶部７の発信履歴データ記憶領域に記憶させると共に着信履歴データを記憶部７の着信履歴データ記憶領域に記憶させ、記憶部７の発信履歴データ及び着信履歴データを更新する（ステップＳ５）。
【００２２】
ここで、携帯電話機１１から発信履歴データ及び着信履歴データを取得する条件とは、少なくとも携帯電話機１１がＢｌｕｅｔｏｏｔｈ通信部３のＢｌｕｅｔｏｏｔｈ通信圏内に存在しており、例えば制御部２が携帯電話機１１に記憶されている発信履歴データ及び着信履歴データと記憶部７に記憶されている発信履歴データ及び着信履歴データとを照合して両者が不一致であることを判定したことであり、制御部２は、少なくとも携帯電話機１１がＢｌｕｅｔｏｏｔｈ通信部３のＢｌｕｅｔｏｏｔｈ通信圏内に存在し、且つ、携帯電話機１１に記憶されている発信履歴データ及び着信履歴データと記憶部７に記憶されている発信履歴データ及び着信履歴データとが不一致であることを判定すると、携帯電話機１１から発信履歴データ及び着信履歴データを取得する条件が成立したことを判定する。尚、制御部２は、携帯電話機１１に記憶されている発信履歴データ及び着信履歴データと記憶部７に記憶されている発信履歴データ及び着信履歴データとを照合することなく、携帯電話機１１がＢｌｕｅｔｏｏｔｈ通信部３のＢｌｕｅｔｏｏｔｈ通信圏内に存在することを判定すると、携帯電話機１１から発信履歴データ及び着信履歴データを取得する条件が成立したことを判定しても良い。
【００２３】
また、記憶部７の発信履歴データ記憶領域及び着信履歴データ記憶領域と携帯電話機１１に記憶されている発信履歴データ及び着信履歴データの件数とが、前者が後者よりも大きければ、制御部２は、その時点で携帯電話機１１に記憶されている発信履歴データ及び着信履歴データの全てを記憶部７の発信履歴データ記憶領域及び着信履歴データ記憶領域に転送させて記憶させ、一方、前者が後者よりも小さければ、制御部２は、その時点で携帯電話機１１に記憶されている発信履歴データ及び着信履歴データのうち選択された一部（例えば発信日時または着信日時が新しいデータ）を優先して記憶部７の発信履歴データ記憶領域及び着信履歴データ記憶領域に転送させて記憶させる。
【００２４】
一方、制御部２は、ユーザが発信履歴データの電話番号または着信履歴データの電話番号を発信電話番号とする発信操作を操作部４により行った旨を判定すると（ステップＳ２にて「ＹＥＳ」）、その発信履歴データの電話番号または着信履歴データの電話番号を発信電話番号とする発信制御を行い（ステップＳ６）、発信先が応答したか否かを判定する（ステップＳ７）。この場合、制御部２は、図５（ａ）に示すように、ユーザに発信操作を促す「発信しますか？」という表示ガイダンスを表示部５に表示させると共に、発信履歴データの電話番号または着信履歴データの電話番号のうち発信先としてユーザが選択した電話番号（図５では例えば携帯電話機の電話番号である「０９０１１１１１１１１」）及び当該電話番号に対応する登録名（図５では例えば「山田○○」）を表示部５に表示させる。続いて、制御部２は、ユーザが発信操作を行うと、上記した「発信しますか？」という表示ガイダンスに代えて、図５（ｂ）に示すように、発信中であることをユーザに知らせる「発信中」という表示ガイダンスを表示部５に表示させる。
【００２５】
さて、制御部２は、発信先が応答した旨を判定すると（ステップＳ７にて「ＹＥＳ」）、これ以降、その発信先との間での通話処理に移行する（ステップＳ８）。これに対して、制御部２は、発信先が応答しなかった旨を判定すると（ステップＳ７にて「ＮＯ」）、上記した「発信中」という表示ガイダンスに代えて、図５（ｃ）に示すように、発信先が応答しなかったことをユーザに知らせる「相手が応答しませんでした」という表示ガイダンスを表示部５に表示させ、発信電話番号を含めた電話帳検索コマンドをＢｌｕｅｔｏｏｔｈ通信部３から携帯電話機１１に送信させ（ステップＳ９）、携帯電話機１１から発信電話番号と同一の登録名の別の電話番号をＢｌｕｅｔｏｏｔｈ通信部３により受信する旨を待機する（ステップＳ１０）。携帯電話機１１は、車載ハンズフリー装置１から電話番号検索コマンドを受信すると、その時点で登録されている電話帳データを検索し、車載ハンズフリー装置１が発信電話番号として発信した電話番号と同一の登録名で別の電話番号が登録されていれば、その登録されている別の電話番号を車載ハンズフリー装置１に送信する。
【００２６】
次いで、制御部２は、携帯電話機１１から同一の登録名の別の電話番号をＢｌｕｅｔｏｏｔｈ通信部３により受信した旨を判定すると（ステップＳ１０にて「ＹＥＳ」）、上記した「相手が応答しませんでした」という表示ガイダンスに代えて、図５（ｄ）に示すように、ユーザに携帯電話機１１から受信した同一の登録名の別の電話番号での発信操作を促す「別の電話番号に発信しますか？」という表示ガイダンスを表示部５に表示させると共に、携帯電話機１１から受信した同一の登録名の別の電話番号（図５では例えば自宅の電話番号である「０５６６９９７７７７」）及び当該電話番号に対応する登録名を表示部５に表示させる。
【００２７】
そして、制御部２は、ユーザが当該同一の登録名の別の電話番号を発信電話番号とする発信操作（本発明でいう別の所定操作）を操作部４により行った旨を判定すると（ステップＳ１１にて「ＹＥＳ」）、その同一の登録名の別の電話番号を発信電話番号とする発信制御を行う（ステップＳ１２）。この場合、制御部２は、上記した「別の電話番号に発信しますか？」という表示ガイダンスに代えて、図５（ｅ）に示すように、発信中であることをユーザに知らせる「発信中」という表示ガイダンスを表示部５に表示させる。
【００２８】
これにより、ユーザは、発信履歴データの電話番号または着信履歴データの電話番号を発信電話番号とする発信操作を操作部４により行ったが、発信先が応答しなかった場合に、携帯電話機１１に発信電話番号として選択した電話番号と同一の登録名で別の電話番号が登録されていれば、携帯電話機１１に登録されている電話帳データの検索操作を行うことなく、続けて別の電話番号を発信電話番号とする発信操作を行うことが可能となる。
【００２９】
尚、上記した構成では、同一の登録名の別の電話番号を表示させた後に、ユーザが同一の登録名の別の電話番号を発信電話番号とする発信操作を操作部４により行ったことを条件として、その同一の登録名の別の電話番号を発信電話番号とする発信制御を行う場合を説明したが、ユーザが同一の登録名の別の電話番号を発信電話番号とする発信操作を操作部４により行ったことを条件とすることなく、その同一の登録名の別の電話番号を発信電話番号とする発信制御を自動で行うようにしても良い。
【００３０】
また、携帯電話機１１に同一の登録名の別の電話番号が複数登録されている場合に、登録順位が上位の（発信電話番号とした電話番号の次位に登録されている）別の電話番号を携帯電話機１１から取得する場合を説明したが、それら複数の別の電話番号の全てを取得して一覧表示し、ユーザが操作部４を操作して複数の別の電話番号のうちいずれかを選択するようにしても良い。また、各カテゴリに対して時間帯を登録し、その時間帯に対応する別の電話番号を携帯電話機１１から取得するようにしても良い。例えばカテゴリが携帯電話機に対しては「午前７時から午前８時まで」及び「午後５時から午後６時まで」の時間帯を登録し、カテゴリが自宅に対しては「午後６時から午前７時まで」の時間帯を登録し、カテゴリが会社に対しては「午前８時から午後５時まで」の時間帯を登録し、現在時刻が属する別の電話番号を携帯電話機１１から取得するようにしても良い。
【００３１】
以上に説明したように本実施形態によれば、車載ハンズフリー装置１において、携帯電話機１１の発信履歴データの電話番号または着信履歴データの電話番号（例えば発信先が所有する携帯電話機の電話番号）を発信電話番号とする発信制御を行ったが、発信先が応答しなければ、携帯電話機１１の電話帳データに発信電話番号とした電話番号と同一の登録名で別の電話番号（例えば発信先の自宅の電話番号など）が登録されていれば、その登録されている別の電話番号を携帯電話機１１から転送させ、その転送された別の電話番号を発信電話番号とする発信制御を行うように構成したので、携帯電話機１１からの多大な電話帳データの転送を必要とすることなく、ユーザが携帯電話機１１に登録されている電話帳データの検索操作を行う必要なく、発信操作を行うときの操作性を高めることができる。
【００３２】
本発明は、上記した実施形態にのみ限定されるものではなく、以下のように変形または拡張することができる。
車載ハンズフリー装置に限らず、ハンズフリー機能を有する車載ナビゲーション装置に適用しても良い。
携帯電話機から車載ハンズフリー装置に発信履歴データ及び着信履歴データを転送させ、発信履歴データの電話番号または着信履歴データの電話番号を発信電話番号として発信制御する構成に限らず、携帯電話機から車載ハンズフリー装置に発信履歴データ及び着信履歴データのうちいずれかを転送させ、発信履歴データの電話番号及び着信履歴データの電話番号のうちいずれかを発信電話番号として発信制御する構成であっても良い。
携帯電話機から車載ハンズフリー装置に各種データをＢｌｕｅｔｏｏｔｈ通信により転送させる構成に限らず、各種データを他の無線通信により転送させる構成であっても良く、また、各種データを有線通信により転送させる構成であっても良い。
車載ハンズフリー装置が携帯電話機から発信履歴データ及び着信履歴データを取得する条件は他の条件であっても良い。
【図面の簡単な説明】
【００３３】
【図１】本発明の一実施形態を示す機能ブロック図
【図２】携帯電話機の発信履歴データ及び着信履歴データの一例を示す図
【図３】携帯電話機の電話帳データの一例を示す図
【図４】フローチャート
【図５】表示画面の遷移の一例を示す図
【符号の説明】
【００３４】
図面中、１は車載ハンズフリー装置、２は制御部（制御手段、現在時刻取得手段）、３はＢｌｕｅｔｏｏｔｈ通信部（ハンズフリー接続手段、発信履歴データ取得手段、着信履歴データ取得手段、電話帳データ取得手段）、４は操作部（操作手段）、５は表示部（表示手段）、１１は携帯電話機である。
【図１】
0004506812.tif 000002
【図２】
0004506812.tif 000003
【図３】
0004506812.tif 000004
【図４】
0004506812.tif 000005
【図５】
0004506812.tif 000006